(57)【要約】【課題】壁面への電力ケーブル固定時の作業性およびコストを改善することができ、より多くの電力ケーブルを横方向に配置して固定することができる電力ケーブル用固定クリートを提供する。【解決手段】下側ケーブル保持金物１３を壁面２７にボルト２９ａで固定した後、１本目のケーブルを穴２８の位置に合わせて布設し、スネーク取り作業を行い、下側ケーブル固定金物１５をかぶせてボルトで仮固定し、同様に、２本目を穴２９の位置に合わせて金物１６で仮固定する。次に、各金物１５，１６に上側ケーブル保持金物２１を連結し、これに各スプリング１８，１９を取り付け、各ケーブルが安定して固定されるようにナット４１，４２を締め付け、仮固定用ボルトを除去する。３本目を穴３０の位置に合わせて布設し、スネーク取り作業を行い上側ケーブル固定金物２３をかぶせて各スプリング２５，２６を取り付け、ナット６２，６３を締め付ける。【選択図】　図１
2004120836.tif 000002
【特許請求の範囲】
【請求項１】
壁面に３本のケーブルを纏めて固定する電力ケーブル用固定クリートにおいて、
前記３本のうち２本のケーブルを隣接して載置する２つの半円状枠が形成されると共に、前記壁面への取り付けボルト用穴が形成された第１の保持手段と、
半円状枠を有し、この半円状枠を前記第１の保持手段における一方の半円状枠に合わせて連結することでケーブルを挿通固定する円形状の枠を構成する第１の固定手段と、
半円状枠を有し、この半円状枠を前記第１の保持手段における他方の半円状枠に合わせて連結することでケーブルを挿通固定する円形状の枠を構成する第２の固定手段と、
前記３本のうち残り１本のケーブルを載置する半円状枠が形成され、前記第１および第２の固定手段に連結される第２の保持手段と、
半円状枠を有し、この半円状枠を前記第２の保持手段における半円状枠に合わせて連結することでケーブルを挿通固定する円形状の枠を構成する第３の固定手段と、
を備えて成ることを特徴とする電力ケーブル用固定クリート。
【請求項２】
ナットを螺合したボルトを突き出るようにスプリングに挿通した複数のスプリング手段を備え、このスプリング手段のボルトを前記第１および第２の固定手段に形成した貫通穴を挿通させ、この貫通穴から突き出たボルトを前記第１の保持手段に形成したネジ穴に螺合した後、前記ナットを締め付けることにより前記第１の保持手段と、前記第１および第２の固定手段とを連結すると共に、前記スプリング手段のボルトを前記第３の固定手段に形成した貫通穴を挿通させ、この貫通穴から突き出たボルトを前記第２の保持手段に形成したネジ穴に螺合した後、前記ナットを締め付けることにより前記第２の保持手段と、前記第３の固定手段とを連結して成る
ことを特徴とする請求項１に記載の電力ケーブル用固定クリート。
【請求項３】
前記第１の保持手段と、前記第１および第２の固定手段とを連結する前記スプリング手段は、前記第１の保持手段におけるケーブル配置方向の幅からはみ出さないように取り付けられる
ことを特徴とする請求項２に記載の電力ケーブル用固定クリート。
【請求項４】
前記第１の保持手段と、前記第１および第２の固定手段とを連結する前記スプリング手段は、前記第１の保持手段におけるケーブル配置方向の中心軸に対して対称位置に配置される
ことを特徴とする請求項２に記載の電力ケーブル用固定クリート。
【請求項５】
前記第１の保持手段の前記ボルト用穴の周囲を切り欠いた
ことを特徴とする請求項１に記載の電力ケーブル用固定クリート。
【発明の詳細な説明】
【０００１】
【発明の属する技術分野】
本発明は、洞道内などの壁面に多相の電力ケーブルを纏めて固定する電力ケーブル用固定クリートに関する。
【０００２】
【従来の技術】
図５および図６に従来の３条１括タイプの電力ケーブル用固定クリート（以下、クリートという）の構造を示し、その説明を行う。但し、図５はクリートの正面図、図６はクリートの側面図である。
【０００３】
これらの図に示すクリートは、後述で説明するように上下方向に３分割される構造となっており、組み立て状態においては、図示せぬ多相（ここでは３相）の電力ケーブルのうち２本のケーブルが挿入固定される下側ケーブル挿入穴１と、１本のケーブルが挿入固定される上側ケーブル挿入穴２とが形成されるようになっている。そして、各穴１，２に３本のケーブルを挿入して纏めた後にスプリングにてケーブルを固定するようになっている。
【０００４】
即ち、このクリートは、下側ケーブル保持金物３と、この金物３の上に組み合わされることによって２つの穴１を形成して下側のケーブルを固定すると共に、上側のケーブルを支持する固定支持金物４と、両側に図示せぬスプリングを内蔵するスプリングケース５が固定されると共に、この固定支持金物４の上に組み合わされることによって穴２を形成して上側のケーブルを固定する押さえ金物６とを備えて構成されている。
【０００５】
このような構成のクリートによって３本のケーブルを洞道の壁面に固定する場合、壁面に、クリートの下側ケーブル保持金物３を、そのボルト用穴７にボルトを挿入して固定し、１本目のケーブルを布設した後、ケーブルの熱膨張による長手方向の伸縮を吸収するためにケーブルを弛ませてたわみを形成するスネーク取り作業を行い、その後、図示せぬ仮固定用金物を用いて仮固定を行う。次いで２本目のケーブルを布設して、同様にスネーク取り作業を行った後、固定支持金物４を取付ける。次に、上側の１本のケーブルを穴２の位置に引き込んだ後、押さえ金物６で固定する。この固定は、下側ケーブル保持金物３の両側に形成されたボルト用穴８に、スプリングケース５内に配置されるスプリングに挿通されたボルトを通してナットで固定するものである。
【０００６】
【発明が解決しようとする課題】
しかし、従来の電力ケーブル用固定クリートを用いて多相の電力ケーブル（多相ケーブル）を壁面に固定する場合、ケーブル１本毎に、布設を行った後にスネーク取り作業を行い、さらに仮固定用金物による仮固定を行い、この後、仮固定用金物を取り外しながら本固定を行うといった作業が必要となるので、その作業に手間が掛かかるという問題がある。
【０００７】
また、その作業時に必要な仮固定用金物は、ケーブル、クリートの寸法により個別設計となるため毎回作製する必要があり、このためコストが高くなるという問題がある。
【０００８】
また、多相ケーブルを多回線固定する場合は、各多相ケーブルを横方向に並べて配置するが、両側にスプリングケース５があってクリートが幅方向に広いため、多相ケーブルを密着して配置することができず、その分、ケーブルの固定本数が少なくなるという問題がある。
【０００９】
本発明は、かかる点に鑑みてなされたものであり、壁面への電力ケーブル固定時の作業性およびコストを改善することができ、より多くの電力ケーブルを横方向に配置して固定することができる電力ケーブル用固定クリートを提供することを目的とする。
【００１０】
【課題を解決するための手段】
上記課題を解決するために、本発明の電力ケーブル用固定クリートは、壁面に３本のケーブルを纏めて固定する電力ケーブル用固定クリートにおいて、前記３本のうち２本のケーブルを隣接して載置する２つの半円状枠が形成されると共に、前記壁面への取り付けボルト用穴が形成された第１の保持手段と、半円状枠を有し、この半円状枠を前記第１の保持手段における一方の半円状枠に合わせて連結することでケーブルを挿通固定する円形状の枠を構成する第１の固定手段と、半円状枠を有し、この半円状枠を前記第１の保持手段における他方の半円状枠に合わせて連結することでケーブルを挿通固定する円形状の枠を構成する第２の固定手段と、前記３本のうち残り１本のケーブルを載置する半円状枠が形成され、前記第１および第２の固定手段に連結される第２の保持手段と、半円状枠を有し、この半円状枠を前記第２の保持手段における半円状枠に合わせて連結することでケーブルを挿通固定する円形状の枠を構成する第３の固定手段と、を備えて成ることを特徴としている。
【００１１】
また、ナットを螺合したボルトを突き出るようにスプリングに挿通した複数のスプリング手段を備え、このスプリング手段のボルトを前記第１および第２の固定手段に形成した貫通穴を挿通させ、この貫通穴から突き出たボルトを前記第１の保持手段に形成したネジ穴に螺合した後、前記ナットを締め付けることにより前記第１の保持手段と、前記第１および第２の固定手段とを連結すると共に、前記スプリング手段のボルトを前記第３の固定手段に形成した貫通穴を挿通させ、この貫通穴から突き出たボルトを前記第２の保持手段に形成したネジ穴に螺合した後、前記ナットを締め付けることにより前記第２の保持手段と、前記第３の固定手段とを連結して成ることを特徴としている。
【００１２】
また、前記第１の保持手段と、前記第１および第２の固定手段とを連結する前記スプリング手段は、前記第１の保持手段におけるケーブル配置方向の幅からはみ出さないように取り付けられることを特徴としている。
【００１３】
また、前記第１の保持手段と、前記第１および第２の固定手段とを連結する前記スプリング手段は、前記第１の保持手段におけるケーブル配置方向の中心軸に対して対称位置に配置されることを特徴としている。
【００１４】
また、前記第１の保持手段の前記ボルト用穴の周囲を切り欠いたことを特徴としている。
【００１５】
【発明の実施の形態】
以下、本発明の実施の形態について、図面を参照して詳細に説明する。
【００１６】
（実施の形態）
図１は、本発明の実施の形態に係る３条１括タイプの電力ケーブル用固定クリートの構造を示す正面図、図２は平面図である。
【００１７】
これらの図に示す本実施の形態のクリート１１は、主要構成要素として、下側ケーブル保持金物１３と、第１の下側ケーブル固定金物１５と、第２の下側ケーブル固定金物１６と、第１の下側ケーブル固定スプリング１８と、第２の下側ケーブル固定スプリング１９と、上側ケーブル保持金物２１と、上側ケーブル固定金物２３と、第１の上側ケーブル固定スプリング２５と、第２の上側ケーブル固定スプリング２６とを備えて構成されている。
【００１８】
このクリート１１は、組み立て状態において、図示せぬ多相（ここでは３相）の電力ケーブルのうち２本のケーブルが挿入固定される第１および第２下側ケーブル挿入穴２８，２９と、１本のケーブルが挿入固定される上側ケーブル挿入穴３０とが形成されるようになっている。
【００１９】
また、下側ケーブル保持金物１３には、本金物１３を洞道の壁面に取付けたリング金物２７または図示せぬ立金物に図３に示すようにボルト２９ａを挿通して固定するためのボルト用穴３１が形成されると共に、そのボルト２９ａを螺合するレンチなどの螺合手段での作業性を良くするための切り欠き３３が形成され、さらに、各下側ケーブル固定スプリング１８，１９に組み込まれたボルト３５，３６が螺合されるネジ穴３８，３９が形成されている。
【００２０】
ボルト３５，３６は、各下側ケーブル固定金物１５，１６に形成されたボルト用穴４４，４５に挿通され、ネジ穴３８，３９に螺合されたのち、ナット４１，４２で各スプリング１８，１９を任意のバネ圧として固定できるようになっている。
【００２１】
また、各ネジ穴３８，３９およびボルト用穴４４，４５は、図２に示すように各スプリング１８，１９が長方形状の対角位置に配置されるように形成されている。また、各下側ケーブル固定金物１５，１６には、各ボルト用穴４４，４５の対称位置に下側ケーブルをボルトで仮固定するための各仮固定ボルト用穴４７，４８が形成され、これら穴４７，４８の直下となる下側ケーブル保持金物１３には、図示せぬ仮固定用ネジ穴が形成されている。
【００２２】
また、各下側ケーブル固定金物１５，１６には、上側ケーブル保持金物２１をボルト５０，５１で固定するためのネジ穴５３，５４が形成され、上側ケーブル保持金物２１には、それらボルト５０，５１が挿通されるボルト用穴５６，５７が形成されている。
【００２３】
また、上側ケーブル保持金物２１には、上側ケーブル固定金物２３を固定するために、各上側ケーブル固定スプリング２５，２６に組み込まれたボルト５３，５４が螺合されるネジ穴５６ａ，５７ａが形成されている。
【００２４】
ボルト５３，５４は、上側ケーブル固定金物２３に形成されたボルト用穴５９，６０に挿通され、ネジ穴５６ａ，５７ａに螺合されたのち、ナット６２，６３で各スプリング２５，２６を任意のバネ圧として固定できるようになっている。
【００２５】
このような構成のクリート１１によって３本のケーブルを洞道の壁面に取付けたリング金物２７や、図示せぬ立金物に固定する場合、まず、下側ケーブル保持金物１３を壁面２７にボルト２９ａで固定する。この後、１本目のケーブルを穴２８の位置に合わせて布設し、スネーク取り作業を行い、第１の下側ケーブル固定金物１５をかぶせて仮固定ボルト用穴４７にボルトを挿通して仮固定する。同様に、２本目のケーブルを穴２９の位置に合わせて布設し、スネーク取り作業を行い、第２の下側ケーブル固定金物１６をかぶせて仮固定ボルト用穴４８にボルトを挿通して仮固定する。
【００２６】
次に、各下側ケーブル固定金物１５，１６に上側ケーブル保持金物２１をボルト５０，５１で連結する。この後、各下側ケーブル固定スプリング１８，１９のボルト３５，３６をボルト用穴４４，４５に挿通し、ネジ穴３８，３９に螺合することによって各スプリング１８，１９を取り付け、各ケーブルが安定して固定されるようにナット４１，４２を締め付ける。そして、仮固定用のボルトを取り去る。
【００２７】
次に、３本目のケーブルを穴３０の位置に合わせて布設し、スネーク取り作業を行い、ケーブルに上側ケーブル固定金物２３をかぶせて各上側ケーブル固定スプリング２５，２６を取り付け固定する。この場合、各スプリング２５，２６のボルト５３，５４をボルト用穴５９，６０に挿通し、ネジ穴５６ａ，５７ａに螺合することによって各スプリング２５，２６を取り付け、ケーブルが安定して固定されるようにナット６２，６３を締め付ける。
【００２８】
このように、本実施の形態の電力ケーブル用固定クリートによれば、３本のケーブルを下側に２本この上側に１本積み重ねて壁面に取付けたリング金物２７や、図示せぬ立金物に固定する際に、下側を１本ずつ本クリート１１で仮固定したのち本固定し、この後、仮固定のボルトを除去し、残りの１本を本固定するようにした。従って、従来のように、ケーブル１本毎に、布設を行った後にスネーク取り作業を行い、さらに仮固定用金物による仮固定を行い、この後、仮固定用金物を取り外しながら本固定を行うといった煩雑な作業と比較し、作業工程が減少するので作業性を向上させることができる。
【００２９】
また、従来のように、ケーブル、クリートの寸法に応じた個別設計の必要性から作業の都度作製する必要があった仮固定用金物を用いなくてもよいので、その分、コストを下げることができる。
【００３０】
また、本クリート１１は、従来のようにクリートの両側にスプリングケースがはみ出した構造でなく、下側２本のケーブルを隣接して配置できる最小限の幅からケーブル固定用のスプリング１８，１９が幅方向（横方向）にはみ出さない構造とした。さらに、各スプリング１８，１９が本クリート１１の平面形状が長方形状の対角位置に配置されるように形成した。これによって、図４に示すように、湾曲した壁面２７に、クリート１１を横方向に並べて配置固定する場合、隣り合わせのクリート１１の各スプリング１８，１９が前後にずれるので、各クリート１１を密着して配置することができる。従って、多相ケーブルを密着して配置することができるので、多相ケーブルを多回線固定する場合に、より多くの電力ケーブルを横方向に配置して固定することができる。
【００３１】
また、各スプリング１８，１９が前後方向にずれるので、ボルト締めなどの取り付け作業が容易となる。さらに、切り欠き３３を設けたので、下側ケーブル保持金物１３を壁面に取付けたリング金物２７にボルト固定する際に、図４に矢印Ｙ１で示すように、作業通路側からの取り付けが可能となり、作業性が良くなると共に、ケーブル敷設後の増し締め作業が非常にやりやすくなる。従来タイプのクリートでは、構造上その作業が非常にやりづらかった。
【００３２】
また、このクリートを用いれば１相毎のケーブル固定が可能であるため、従来のクリートでは不可能であった垂直布設や傾斜布設を行うことができ、コストおよび作業性を向上させることができ、布設スペースの有効利用を図ることができる。
【００３３】
【発明の効果】
以上説明したように、本発明によれば、３本のケーブルを下側に２本この上側に１本積み重ねて壁面に固定する際に、下側を１本ずつ本発明のクリートで仮固定したのち本固定し、この後、仮固定のボルトを除去し、残りの１本を本固定するようにした。また、本クリートを横方向に密着配置可能としたので、壁面への電力ケーブル固定時の作業性およびコストを改善することができ、より多くの電力ケーブルを横方向に配置して固定することができる。
【図面の簡単な説明】
【図１】本発明の実施の形態に係る３条１括タイプの電力ケーブル用固定クリートの構造を示す正面図である。
【図２】上記電力ケーブル用固定クリートの構造を示す平面図である。
【図３】上記電力ケーブル用固定クリートにおける壁面への取り付けボルトおよび、このボルト用穴の周囲の切り欠きを示す図である。
【図４】洞道の壁面に上記電力ケーブル用固定クリートを複数隣接配置した状態を示す図である。
【図５】従来の３条１括タイプの電力ケーブル用固定クリートの構造を示す正面図である。
【図６】上記従来の電力ケーブル用固定クリートの構造を示す側面図である。
【符号の説明】
１　下側ケーブル挿入穴
２　上側ケーブル挿入穴
３　下側ケーブル保持金物
４　固定支持金物
５　スプリングケース
６　押さえ金物
１１　電力ケーブル用固定クリート
１３　下側ケーブル保持金物
１５　第１の下側ケーブル固定金物
１６　第２の下側ケーブル固定金物
１８　第１の下側ケーブル固定スプリング
１９　第２の下側ケーブル固定スプリング
２１　上側ケーブル保持金物
２３　上側ケーブル固定金物
２５　第１の上側ケーブル固定スプリング
２６　第２の上側ケーブル固定スプリング
２８　第１の下側ケーブル挿入穴
２９　第２の下側ケーブル挿入穴
３０　上側ケーブル挿入穴
３１，４４，４５，５６，５７，５９，６０　ボルト用穴
２９ａ，３５，３６，５０，５１　ボルト
３８，３９，５３，５４，５６ａ，５７ａ　ネジ穴
３８，３９が形成されている。
４１，４２，６２，６３　ナット
４７，４８　仮固定ボルト用穴
【図１】
2004120836.tif 000003
【図２】
2004120836.tif 000004
【図３】
2004120836.tif 000005
【図４】
2004120836.tif 000006
【図５】
2004120836.tif 000007
【図６】
2004120836.tif 000008